(57)【特許請求の範囲】
【請求項１】
複数のモデムが周波数帯域を分けて同一の通信線を共用してモデム間で通信するようにしたデータ通信モデムにおいて、前記複数のモデムの各モデムには、
変復調を行うモデム回路部と、
該モデム回路部に通信線を接続するための送信用および受信用のインタフェース部と、
前記通信線が接続される通信線インタフェースコネクタと、
該通信線インタフェースコネクタと前記送信用インタフェース部との間、および前記通信線インタフェースコネクタと前記受信用インタフェース部との間にそれぞれ設けられた接続用ジャックと、
該接続用ジャックに挿抜可能に接続され、挿入して接続した場合には前記通信線インタフェースコネクタと前記送信用および受信用のインタフェース部を接続し、所定の周波数帯域のノイズを抑制するフィルタ回路を内蔵したフィルタ回路内蔵プラグとを備えたデータ通信モデム。
【請求項２】
複数のモデムが周波数帯域を分けて同一の通信線を共用してモデム間で通信するようにしたデータ通信モデムにおいて、前記複数のモデムの各モデムには、
変復調を行うモデム回路部と、
該モデム回路部に通信線を接続するための送信用および受信用のインタフェース部と、
前記通信線が接続される通信線インタフェースコネクタと、
該通信線インタフェースコネクタと前記送信用インタフェース部との間、および前記通信線インタフェースコネクタと前記受信用インタフェース部との間にそれぞれ設けられた切り分けコネクタと、
所定の周波数帯域のノイズを抑制するフィルタ回路を内蔵したフィルタ回路内蔵プラグと、
前記切り分けコネクタに前記フィルタ回路内蔵プラグを挿抜可能に接続する変換アダプタ部とを備え、
前記フィルタ回路内蔵プラグが前記変換アダプタを介して前記切り分けコネクタに接続された場合には前記通信線インタフェースコネクタが前記送信用および受信用のインタフェース部に接続されることを特徴とするデータ通信モデム。
【請求項３】
前記通信線インタフェースコネクタと通信線との間にフィルタ回路内蔵コネクタを備えることを特徴とする請求項１または請求項２に記載のデータ通信モデム。
【請求項４】
請求項１に記載の複数のデータ通信モデムと、
複数の前記データ通信モデムを前記接続用ジャックが列状に並ぶように実装するシャーシとを備え、
複数の前記フィルタ回路内蔵プラグを一体化して、列状に並んだ前記接続用ジャックに一括して挿抜可能としたことを特徴とするシャーシイン型データ通信モデム。
【発明の詳細な説明】
【技術分野】
【０００１】
この発明は、周波数帯域を分けて他の通信機器とマルチドロップ回線等の同一通信線を共用するデータ通信モデム、このデータ通信モデムをシャーシに複数実装したシャーシイン型データ通信モデムに関するものである。 
【背景技術】
【０００２】
同一通信線を共用してモデム間で通信を行っている場合、あるモデムの電源などから発生したノイズが別のモデム間で通信しているモデムの信号に重畳して送られ、別のモデム間における通信の信頼性を損なうことがある。
一般の通信モデムには、送信データ信号を送信するときにその出力信号に含まれる不要信号を除去する送信フィルタ回路や、受信信号に含まれる不要信号を除去する受信フィルタ回路をモデム内部に備えたものがある。（特許文献１参照）
また同一通信線を共用してモデム間で通信を行う場合の上記したノイズを低減させる方法として、モデムと通信線との間にモデムの使用周波数を阻害しないことを目的としたフィルタ回路を外付けして対応することが多い。またこのようなフィルタ回路はプリント基板や当該基板上に固定実装された素子で実現されている。
例えば、プリント配線板にノイズフィルタを設けたものとして、電子回路の信号ラインまたは電源ラインに膜形成技術または印刷技術を用いて分布定数型ＬＣノイズフィルタを積層形成したものがある。（特許文献２参照）
【０００３】
【特許文献１】特開２００７−３０６２３５号公報
【特許文献２】特開平０５−１２１８９１号公報
【発明の開示】
【発明が解決しようとする課題】
【０００４】
従来のデータ通信モデムは以上のように構成されているので、送信用インタフェース部の前段（送信用トランスのモデム内部側）に実装されているフィルタ回路でも低減できないようなノイズが発生することがある。このようなモデム内送信用トランスの通信線側のモデム信号に重畳したノイズを低減させる手段として、フィルタ回路を通信線に挿入することが行われる。この場合、従来はモデムから通信線を取り外した上でフィルタ回路を挿入しなければならず、長時間の通信停止が伴うとともに、設置工事に要する費用も高価であった。また、フィルタ回路を外付けするため設置するスペースがなく容易に設置できないなどの問題があった。
またフィルタ回路はプリント基板の電子回路の信号ラインまたは電源ラインに一体的に積層して構成されているため、通信線の使用周波数帯域が異なるなどしてフィルタによる抑制が必要な周波数が異なる場合は、フィルタ回路の交換が容易に行えない問題があった。
【０００５】
この発明は上記のような課題を解決するためになされたものであり、モデムに接続された通信線を取り外すことなく、モデム信号に重畳するノイズを低減するフィルタ回路を設置することができるとともに、フィルタ回路の交換が必要な場合は容易に交換できるデータ通信モデムを得ることを目的とするものである。
【課題を解決するための手段】
【０００６】
この発明に係るデータ通信モデムは、複数のモデムが周波数帯域を分けて同一の通信線を共用してモデム間で通信するようにしたデータ通信モデムにおいて、複数のモデムの各モデムには、  変復調を行うモデム回路部と、モデム回路部に通信線を接続するための送信用および受信用のインタフェース部と、通信線が接続される通信線インタフェースコネクタと、通信線インタフェースコネクタと送信用インタフェース部との間、および通信線インタフェースコネクタと受信用インタフェース部との間にそれぞれ設けられた接続用ジャックと、接続用ジャックに挿抜可能に接続され、挿入して接続した場合には通信線インタフェースコネクタと送信用および受信用のインタフェース部を接続し、所定の周波数帯域のノイズを抑制するフィルタ回路を内蔵したフィルタ回路内蔵プラグとを備えたものである。
【０００７】
また、この発明に係るデータ通信モデムは、複数のモデムが周波数帯域を分けて同一の通信線を共用してモデム間で通信するようにしたデータ通信モデムにおいて、複数のモデムの各モデムには、変復調を行うモデム回路部と、モデム回路部に通信線を接続するための送信用および受信用のインタフェース部と、通信線が接続される通信線インタフェースコネクタと、通信線インタフェースコネクタと送信用インタフェース部との間、および通信線インタフェースコネクタと受信用インタフェース部との間にそれぞれ設けられた切り分けコネクタと、所定の周波数帯域のノイズを抑制するフィルタ回路を内蔵したフィルタ回路内蔵プラグと、切り分けコネクタにフィルタ回路内蔵プラグを挿抜可能に接続する変換アダプタ部とを備え、フィルタ回路内蔵プラグが変換アダプタを介して切り分けコネクタに接続された場合には通信線インタフェースコネクタが送信用および受信用のインタフェース部に接続されるようにしたものである。
【０００８】
また、この発明に係るシャーシイン型データ通信モデムは、複数のデータ通信モデムと、複数のデータ通信モデムを接続用ジャックが列状に並ぶように実装するシャーシとを備え、複数のフィルタ回路内蔵プラグを一体化して、列状に並んだ接続用ジャックに一括して挿抜可能としたものである。
【発明の効果】
【００１０】
この発明のデータ通信モデムによれば、モデムに接続された通信線を取り外すことなくフィルタ回路を設置または交換できるので、設置または交換の作業に伴う通信停止時間を短縮することができる。
【発明を実施するための最良の形態】
【００１１】
実施の形態１．
以下、この発明の実施の形態１におけるデータ通信モデムを図に基づいて説明する。図１はこの発明の実施の形態１におけるデータ通信モデムのブロック図とそのモデムを使用した通信システム構成図、図２は実施の形態１におけるデータ通信モデムに用いられるフィルタ回路部の分解構成図である。
図１の通信システム構成において、モデムＡ１ａとモデムＡ１ｂ、およびモデムＢ２ａとモデムＢ２ｂはマルチドロップ回線等の通信ケーブル３のペア通信線３１、３２を介して接続されている。これらのモデムのうち、モデムＡ１ａは外部電源１０に接続され、モデムＡ１ａに電源が供給される。モデムＡ１ａには、変復調を行うモデム回路部１１が設けられ、このモデム回路部１１にそれぞれ送信インタフェース部１２と受信インタフェース部１３が接続されている。更に、送信インタフェース部１２には、後述する図２に詳細に示すように、送信フィルタ回路内蔵プラグ１４を接続するための接続用ジャック１５が接続されており、また接続用ジャック１５に送信フィルタ回路内蔵プラグ１４が挿抜可能に取り付けられている。なお、モデムＡ１ａは、設置環境にもよるが、外部電源１０等からノイズが印加される可能性がある。
【００１２】
またモデムＡ１ａの送信フィルタ回路内蔵プラグ１４を接続する接続用ジャック１５は通信線インタフェースコネクタ１８の送信用のＳ−ＬＩＮＥ１端子、Ｓ−ＬＩＮＥ２端子にそれぞれ電気的に接続される。また受信インタフェース部１３の導電端子は通信線インタフェースコネクタ１８の受信用のＲ−ＬＩＮＥ１端子、Ｒ−ＬＩＮＥ２端子にそれぞれ電気的に接続される。通信線インタフェースコネクタ１８は通信ケーブル３のペア通信線３１、３２に接続される。
なお図１には、モデムＡ１ａの内部ブロック図しか示していないが、モデムＡ１ｂ、モデムＢ２ａおよびモデムＢ２ｂもモデムＡ１ａと同じ構成になっている。
【００１３】
次にフィルタ回路部を示す図１の接続用ジャック１５と送信フィルタ回路内蔵プラグ１４について図２により詳細に説明する。
図２において、送信フィルタ回路内蔵プラグ１４は、ペア通信線３１、３２を共用する別のモデムが使用する周波数帯域と同じ帯域のノイズを抑制する周波数に見合った定数のコンデンサ、抵抗、コイル等の素子が搭載されてフィルタ回路が構成され、このフィルタ回路に接続端子１４１ａ、接続端子１４１ｂ、接続端子１４１ｃ、接続端子１４１ｄの４つの端子が設けられている。フィルタ回路が抑制する所定の周波数帯域は、別のモデムが使用する周波数帯域でなくてもよい。通信に有害なノイズを除去できるように、所定の周波数帯域は適切に決めておけばよい。また、接続用ジャック１５は、セラミックなどの基板に導電体で構成された４つの接続穴１５１ａ、接続穴１５１ｂ、接続穴１５１ｃ、接続穴１５１ｄが設けられている。
接続用ジャック１５の接続穴１５１ａと接続穴１５１ｂは、送信インタフェース部１２の導電端子が電気的に接続される。接続用ジャック１５の接続穴１５１ｃ、接続穴１５１ｄは、通信線インタフェースコネクタ１８の送信用のＳ−ＬＩＮＥ１端子、Ｓ−ＬＩＮＥ２端子にそれぞれ電気的に接続される。
【００１４】
ここで、図２に示した矢印のように、送信フィルタ回路内蔵プラグ１４の接続端子１４１ａを接続用ジャック１５の接続穴１５１ａに、送信フィルタ回路内蔵プラグ１４の接続端子１４１ｂを接続用ジャック１５の接続穴１５１ｂに、送信フィルタ回路内蔵プラグ１４の接続端子１４１ｃを接続用ジャック１５の接続穴１５１ｃに、送信フィルタ回路内蔵プラグ１４の接続端子１４１ｄを接続用ジャック１５の接続穴１５１ｄに差し込むことで、送信フィルタ回路内蔵プラグ１４は接続用ジャック１５に電気的に接続される。接続用ジャック１５はモデムＡ１ａの送信インタフェース部１２とペア通信線３１に接続されているから、送信フィルタ回路内蔵プラグ１４は、モデムＡ１ａからペア通信線３１を取り外すことなく、モデムＡ１ａ内に取り付けることができる。しかも送信フィルタ回路内蔵プラグ１４は、送信フィルタ回路内蔵プラグ１４の接続端子１４１ａ〜１４１ｄを接続用ジャック１５の接続穴１５１ａ〜１５１ｄに挿入するだけで容易に取り付け可能な構造である。
【００１５】
また、モデムＡ１ａの送信フィルタ回路内蔵プラグ１４を接続した接続用ジャック１５の接続穴１５１ｃ、１５１ｄは通信線インタフェースコネクタ１８を介して通信ケーブル３内のペア通信線３１によりモデムＡ１ｂの受信インタフェース部１３（図示せず）に接続される。かつモデムＡ１ａの受信インタフェース部１３は通信線インタフェースコネクタ１８を介して通信ケーブル３内のペア通信線３２によりモデムＡ１ｂの送信フィルタ回路内蔵プラグを接続した接続用ジャック１５（図示せず）に接続されている。
モデムＡ１ａとモデムＡ１ｂ間と同様に、モデムＢ２ａとモデムＢ２ｂ間がマルチドロップ回線等の通信ケーブル３内のペア通信線３１、３２を介して接続されている。
ここで、モデムＡ１ａとモデムＡ１ｂが通信に使用する周波数αとモデムＢ２ａとモデムＢ２ｂが通信に使用する周波数βは異なっており、周波数多重方式でそれぞれのモデム間の通信を同時に行うことが可能である。
【００１６】
次に実施の形態１におけるデータ通信モデムの動作を図１及び図２について説明する。ここでは例えば、モデムＡ１ａとモデムＡ１ｂは４ＫＨｚ以下の音声帯域を使用して通信をしており、モデムＢ２ａとモデムＢ２ｂは１ＭＨｚ〜２ＭＨｚの周波数帯域を使用して通信をしているとする。
外部電源１０等から１ＭＨｚ〜２ＭＨｚのノイズがモデムＡ１ａに入り込み、更に当該ノイズが送信インタフェース部１２からペア通信線３１に向けてノイズが送出された場合、送信フィルタ回路内蔵プラグ１４に内蔵されたフィルタ回路（例えばローパスフィルタ）によって、ペア通信線３１の手前で高周波成分のノイズをカットする。これにより、モデムＡ１ａから回線に送出されるノイズによるモデムＢ２ａからモデムＢ２ｂの通信への影響を抑制する。
【００１７】
しかし、当該モデムＡ１ａの設置環境によっては印加されるノイズ周波数が異なる。更に、モデムの使用周波数帯域はさまざまであり、ペア通信線３１を共用するモデムの仕様によっては抑制すべき使用周波数帯域もさまざまである。
そこで、送信フィルタ回路内蔵プラグ１４は接続用ジャック１５から挿抜可能な構造であることから、当該ノイズの周波数に見合った定数のコンデンサ、抵抗、コイル等の素子が搭載された送信フィルタ回路内蔵プラグ１４に取り替えることで、抑制が必要な周波数をカットする。
【００１８】
なお、上記実施の形態１では、送信インタフェース部１２の回線側に送信フィルタ回路内蔵プラグ１４を接続したので、ペア通信線３１を共用するモデムの通信（モデムＢ２ａからモデムＢ２ｂへの通信）に及ぼすノイズの影響を低減させ、システム全体の通信信頼性を高くするデータ通信モデムを得ることができる。また、小型化かつ容易にカットオフ周波数等の特性が異なるフィルタ回路に交換できる構造であるために、抑制すべきノイズ周波数が変わっても、モデムＡ１ａに接続されるペア通信線３１を取り外すことなく送信フィルタ回路内蔵プラグ１４を交換することができるとともに、通信停止時間を短縮することでシステムの信頼性を向上させ、工事費用の低減により経済的に優れたデータ通信モデムを得ることができる。
【００１９】
また、上記実施の形態１では、平衡型のフィルタ回路について説明したが、不平衡型のフィルタ回路であってもよく、上記実施の形態と同様の効果を奏する。
また、上記実施の形態１では、フィルタ回路として簡単なローパスフィルタを示したが、その他のローパスフィルタ回路であってもよい。また、ハイパスフィルタやバンドパスフィルタ等であってもよく、上記実施の形態と同様の効果を奏する。
また、上記実施の形態１では、送信フィルタ回路内蔵プラグ１４と接続用ジャック１５は、単に接続穴１５１ａ〜１５１ｄに接続端子１４１ａ〜１４１ｄを挿入する構造として説明したが、挿入した後に送信フィルタ回路内蔵プラグ１４が接続用ジャック１５から簡単に抜けないように脱落防止のロック機構等があってもよい。
【００２０】
実施の形態２．
次に、この発明の実施の形態２におけるデータ通信モデムを図に基づいて説明する。図３はこの発明の実施の形態２におけるデータ通信モデムのブロック図とそのモデムを使用した通信システム構成図である。
実施の形態１では、送信インタフェース部１２とペア通信線３１の間に送信フィルタ回路内蔵プラグ１４及び送信フィルタ回路内蔵プラグ１４を接続するための接続用ジャック１５を設け、接続用ジャック１５に送信フィルタ回路内蔵プラグ１４を挿入して接続することにより、モデムＡ１ａから回線に送出されるノイズによるモデムＢ２ａからモデムＢ２ｂの通信への影響を抑制する場合について述べた。
【００２１】
実施の形態２では、図３に示すように、実施の形態１のデータ通信モデムにおいて、更にモデムＡ１ａの受信インタフェース部１３と通信線インタフェースコネクタ１８の間に受信フィルタ回路内蔵プラグ１６及び受信フィルタ回路内蔵プラグ１６を接続する接続用ジャック１７を接続するようにしたものである。その他の構成は図１と同じにつき、同じ符号を付して説明を省略する。
受信フィルタ回路内蔵プラグ１６及び受信フィルタ回路内蔵プラグ１６を接続する接続用ジャック１７は、構成的には図２に示す送信フィルタ回路内蔵プラグ１４と接続用ジャック１５と全く同じものである。
【００２２】
実施の形態２におけるデータ通信モデムの動作は、実施の形態１と同じであるが、更に
モデムＡ１ａのモデム回路部１１から受信インタフェース部１３を介して送出されるノイズ（モデムＢ２ｂからモデムＢ２ａの通信周波数帯域と同じ帯域のノイズ）を受信フィルタ回路内蔵プラグ１６のフィルタ回路がカットして、ノイズがモデムＢ２ｂからモデムＢ２ａの通信に与える影響を抑えることで、４線式マルチドロップ回線の通信ケーブル３において双方向でのノイズ抑制が可能となる。この方式により、ノイズの影響をより満遍なく抑えることが可能となり、システム全体の信頼性を更に高めることが可能となる。
【００２３】
実施の形態３．
次に、この発明の実施の形態３におけるデータ通信モデムを図に基づいて説明する。図４はこの発明の実施の形態３におけるデータ通信モデムの構成を示す斜視図である。
実施の形態１では、フィルタ回路内蔵プラグ１４により、モデムＡ１ａ単体が共用モデムの使用周波数を阻害するノイズを送出することを抑える場合について述べたが、この発明の実施の形態４では、実施の形態１のモデムＡ１ａをシャーシイン型にした複数のシャーシインタイプモデムを１つのシャーシに実装し、それに伴ってフィルタ回路内蔵プラグも複数設けてモジュール構造にしたものである。このように複数のデータ通信モデムをシャーシに実装したものを、シャーシイン型データ通信モデムと呼ぶ。
【００２４】
実施の形態３を示す図４において、１つの箱体のシャーシ４に、複数のモデム５ａ、５ｂ、５ｃ・・・５ｌ、５ｍ、５ｎが基板に実装され、シャーシインタイプとして装着されている。複数のモデム５ａ、５ｂ、５ｃ・・・５ｌ、５ｍ、５ｎの側面に設けられた接続用ジャックがシャーシ４の開口部に列状に並ぶ。更に複数のモデム５ａ〜５ｎの各々には同じまたは異なる周波数特性を有するフィルタ回路が内蔵された送信フィルタ回路内蔵プラグ１４がモジュール構造にされ、一体化されたフィルタ回路内蔵プラグモジュール１９とされている。このフィルタ回路内蔵プラグモジュール１９は、シャーシ４に複数枚実装されたシャーシインタイプモデム５ａ〜５ｎに一括して差込挿入され、各モデム５ａ〜５ｎにそれぞれに対応した送信フィルタ回路内蔵プラグ１４が接続されるようになっている。
シャーシインタイプの各モデム５ａ、５ｂ、５ｃ・・・５ｌ、５ｍ、５ｎに接続されるフィルタ回路内蔵プラグモジュール１９の差込挿入の仕方は、図２に示す送信フィルタ回路内蔵プラグ１４に設けられる接続端子１４１を接続ジャック１５の接続穴１５１に差し込むのと同じ方法で行われる。
【００２５】
このようにシャーシインタイプの複数のモデム５ａ〜５ｎを実装したシャーシ４は、１つの装置で複数のモデム回線を収容するような多チャンネル収容通信装置などに設置され、各シャーシインタイプのモデム５ａ〜５ｎにはそれぞれ現場機器等からセンサー情報などを取り込む端末などを接続し、複数の遠隔拠点に対して当該センサー情報などを送信する目的で使用される。
【００２６】
以上のように実施の形態３では、送信フィルタ回路内蔵プラグ１４を複数設けてモジュール構造にしたフィルタ回路内蔵プラグモジュール１９により、シャーシ４に複数枚実装したシャーシインタイプモデム５ａ〜５ｎに一括して当該フィルタ回路を接続するようにしたので、例えば、これまでとは異なる周波数を使用する共用モデムがペア通信線３１に設置された場合、低減するノイズ周波数が異なってくるが、この低減する周波数の変更に伴うフィルタ回路の交換作業をシャーシインタイプモデム毎に行うのではなく、複数のシャーシインタイプモデム５ａ〜５ｎに対してフィルタ回路の交換作業を一度に行うことができ、経済的かつ保守性に優れたデータ通信モデムを得ることができる。
なお以上は実施の形態１のような送信フィルタ回路内蔵プラグ１４のみを複数設けてモジュール構造にしたフィルタ回路内蔵プラグモジュール１９について説明したが、実施の形態２のように送信フィルタ回路内蔵プラグ１４と受信フィルタ回路内蔵プラグ１６の両方を複数設けてモジュール構造にしたフィルタ回路内蔵プラグモジュール１９にしてもよく、同様な効果が得られる。
【００２７】
実施の形態４．
次に、この発明の実施の形態４におけるデータ通信モデムを図に基づいて説明する。図５はこの発明の実施の形態４におけるデータ通信モデムのブロック図とそのモデムを使用した通信システム構成図、図６は実施の形態４におけるデータ通信モデムに用いられるフィルタ回路部の分解構成図である。
実施の形態２では、モデムＡ１ａ専用に設けたフィルタ回路内蔵プラグ１４、１６により、モデムＡ１ａが共用モデムの通信使用周波数を阻害するノイズを送出することを抑える場合について述べたが、この実施の形態４は既設の通信モデムで通信回線がすでに構成されている通信システムの場合に適用できるようにしたものである。
【００２８】
図５の通信システム構成において、既設のモデムＣ６ａ及びモデムＣ６ｂに接続されている通信ケーブル３に、新たに当該モデムＣ６ａ、６ｂの使用周波数帯域とは異なる周波数帯域を使用するモデムＢ２ａ及びモデムＢ２ｂを設置する場合、既設のモデムＣ６ａ及びモデムＣ６ｂにフィルタ回路内蔵プラグ１４、１６を設ける必要がある。しかし既設のモデムＣ６ａ及びモデムＣ６ｂには、回線側とモデム内部の回路側の障害切り分けを行う目的で、送信インタフェース部１２および受信インタフェース部１３と通信線インタフェースコネクタ１８との間の部位に切り分けコネクタ部６２を設けている場合が一般的である。
【００２９】
この実施の形態４では、この切り分けコネクタ部６２とフィルタ回路内蔵プラグ１４、１６との間を接続する変換アダプタ部６３を新たに設けて、既設のモデムＣ６ａ及びモデムＣ６ｂにフィルタ回路内蔵プラグ１４、１６が挿脱できるようにしたものである。
既設モデムＣ６ａの送信インタフェース部１２の導電端子は切り分けコネクタ部６２の一方の導電端子に接続され、切り分けコネクタ部６２の他方の導電端子は通信線インタフェースコネクタ１８の送信用のＳ−ＬＩＮＥ１端子、Ｓ−ＬＩＮＥ２端子にそれぞれ電気的に接続される。また受信インタフェース部１３の導電端子は切り分けコネクタ部６２の一方の導電端子に接続され、切り分けコネクタ部６２の他方の導電端子は通信線インタフェースコネクタ１８の受信用のＲ−ＬＩＮＥ１端子、Ｒ−ＬＩＮＥ２端子にそれぞれ電気的に接続される。通信線インタフェースコネクタ１８は通信ケーブル３のペア通信線３１、３２に接続される。なお既設モデムＣ６ｂも既設モデムＣ６ａと同じ構成である。
その他の構成は図３に示す構成と同じに付き、同じ符号を付して説明を省略する。
【００３０】
図６はフィルタ回路部を示す、切り分けコネクタ部６２と送信フィルタ回路内蔵プラグ１４と変換アダプタ部６３の分解図で、以下これについて説明する。
図６において、送信フィルタ回路内蔵プラグ１４は、実施の形態１と同様に、ペア通信線３１、３２を共用する別のモデムが使用する周波数帯域と同じ帯域のノイズを抑制する周波数に見合った定数のコンデンサ、抵抗、コイル等の素子が搭載されてフィルタ回路が構成され、このフィルタ回路に接続端子１４１ａ、接続端子１４１ｂ、接続端子１４１ｃ、接続端子１４１ｄの４つの端子が設けられている。
【００３１】
また、切り分けコネクタ部６２は、セラミックなどの基板に導電体で構成された４つの接続穴６２１ａ、接続穴６２１ｂ、接続穴６２１ｃ、接続穴６２１ｄが設けられている。
切り分けコネクタ部６２の接続穴６２１ａと接続穴６２１ｂは、送信インタフェース部１２の導電端子が電気的に接続されている。切り分けコネクタ部６２の接続穴６２１ｃ、接続穴６２１ｄは、通信線インタフェースコネクタ１８の送信用のＳ−ＬＩＮＥ１端子、Ｓ−ＬＩＮＥ２端子にそれぞれ電気的に接続されている。
【００３２】
送信フィルタ回路内蔵プラグ１４と切り分けコネクタ部６２との間には変換アダプタ部６３が設けられる。この変換アダプタ部６３には、セラミックなどの基板に導電体で構成された４つの接続穴６３１ａ、接続穴６３１ｂ、接続穴６３１ｃ、接続穴６３１ｄが設けられ、これら接続穴６３１ａ〜接続穴６３１ｄは後述するように送信フィルタ回路内蔵プラグ１４の接続端子１４１ａ〜接続端子１４１ｄとそれぞれ電気的に接続される。
また変換アダプタ部６３には、導電体で構成された板状の４つのアダプタ接続端子６３２ａ、アダプタ接続端子６３２ｂ、アダプタ接続端子６３２ｃ、アダプタ接続端子６３２ｄが設けられている。またこれらアダプタ接続端子６３２ａは接続穴６３１ａに、アダプタ接続端子６３２ｂは接続穴６３１ｂに、アダプタ接続端子６３２ｃは接続穴６３１ｃに、アダプタ接続端子６３２ｄは接続穴６３１ｄにそれぞれ電気的に接続されている。
【００３３】
ここで、図６に示した矢印のように、まず切り分けコネクタ部６２の接続穴６２１ａに変換アダプタ部６３のアダプタ接続端子６３２ａを、切り分けコネクタ部６２の接続穴６２１ｂに変換アダプタ部６３のアダプタ接続端子６３２ｂを、切り分けコネクタ部６２の接続穴６２１ｃに変換アダプタ部６３のアダプタ接続端子６３２ｃを、切り分けコネクタ部６２の接続穴６２１ｄに変換アダプタ部６３のアダプタ接続端子６３２ｄをそれぞれ差し込んで、切り分けコネクタ部６２に変換アダプタ部６３を電気的に接続する。
次に、送信フィルタ回路内蔵プラグ１４の接続端子１４１ａを変換アダプタ部６３の接続穴６３１ａに、送信フィルタ回路内蔵プラグ１４の接続端子１４１ｂを変換アダプタ部６３の接続穴６３１ｂに、送信フィルタ回路内蔵プラグ１４の接続端子１４１ｃを変換アダプタ部６３の接続穴６３１ｃに、送信フィルタ回路内蔵プラグ１４の接続端子１４１ｄを変換アダプタ部６３の接続穴６３１ｄにそれぞれ差し込むことで、送信フィルタ回路内蔵プラグ１４は変換アダプタ部６３に電気的に接続される。
なお図６には送信側の切り分けコネクタ部６２と送信フィルタ回路内蔵プラグ１４と変換アダプタ部６３しか示していないが、受信側の切り分けコネクタ部６２と受信フィルタ回路内蔵プラグ１６と変換アダプタ部６３も同じ構成に付き、説明は省略する。
【００３４】
切り分けコネクタ部６２は既設モデムＣ６ａの送信インタフェース部１２とペア通信線３１に接続されているから、送信フィルタ回路内蔵プラグ１４は、既設モデムＣ６ａからペア通信線３１を取り外すことなく、変換アダプタ部６３を介して既設モデムＣ６ａ内に取り付けることができる。しかも送信フィルタ回路内蔵プラグ１４は、送信フィルタ回路内蔵プラグ１４の接続端子１４１ａ〜１４１ｄを変換アダプタ部６３の接続穴６３１ａ〜６３１ｄに挿入するだけで容易に取り付け可能な構造である。
同様に既設モデムＣ６ａの受信インタフェース部１３とペア通信線３２との間にも、送信用と同様な切り分けコネクタ部６２、変換アダプタ部６３、受信フィルタ回路内蔵プラグ１６が接続されているから、受信フィルタ回路内蔵プラグ１６は、既設モデムＣ６ａからペア通信線３２を取り外すことなく、変換アダプタ部６３を介して既設モデムＣ６ａ内に取り付けることができる。しかも受信フィルタ回路内蔵プラグ１６は、受信フィルタ回路内蔵プラグ１６の接続端子１４１ａ〜１４１ｄを変換アダプタ部６３の接続穴６３１ａ〜６３１ｄに挿入するだけで容易に取り付け可能な構造である。
【００３５】
また、既設モデムＣ６ａに送信フィルタ回路内蔵プラグ１４を接続した切り分けコネクタ部６２の接続穴６２１ｃ、６２１ｄは通信線インタフェースコネクタ１８を介して通信ケーブル３内のペア通信線３１により既設モデムＣ６ｂの切り分けコネクタ部６２（図示せず）に接続される。かつ既設モデムＣ６ａの受信フィルタ回路内蔵プラグ１６を接続した切り分けコネクタ部６２の接続穴６２１ｃ、６２１ｄは通信線インタフェースコネクタ１８を介して通信ケーブル３内のペア通信線３２により既設モデムＣ６ｂの送信フィルタ回路内蔵プラグを接続した切り分けコネクタ部６２（図示せず）に接続されている。
【００３６】
既設モデムＣ６ａと既設モデムＣ６ｂ間と同様に、モデムＢ２ａとモデムＢ２ｂ間がマルチドロップ回線等の通信ケーブル３内のペア通信線３１、３２を介して接続されている。
ここで、既設モデムＣ６ａと既設モデムＣ６ｂが通信に使用する周波数αとモデムＢ２ａとモデムＢ２ｂが通信に使用する周波数βは異なっており、周波数多重方式でそれぞれのモデム間の通信を同時に行うことが可能である。
【００３７】
次に実施の形態４におけるデータ通信モデムの動作を図５及び図６について説明する。ここでは例えば、既設モデムＣ６ａと既設モデムＣ６ｂは４ＫＨｚ以下の音声帯域を使用して通信をしており、モデムＢ２ａとモデムＢ２ｂは１ＭＨｚ〜２ＭＨｚの周波数帯域を使用して通信をしているとする。
外部電源１０等から１ＭＨｚ〜２ＭＨｚのノイズが既設モデムＣ６ａに入り込み、更に当該ノイズが送信インタフェース部１２からペア通信線３１に向けて、及び受信インタフェース部１３からペア通信線３２に向けてノイズが送出された場合、送信フィルタ回路内蔵プラグ１４および受信フィルタ回路内蔵プラグ１６に内蔵されたフィルタ回路（例えばローパスフィルタ）によって、ペア通信線３１、３２の手前で高周波成分のノイズをカットする。これにより、既設モデムＣ６ａから回線に送出されるノイズによるモデムＢ２ａからモデムＢ２ｂの通信への影響を抑制する。
【００３８】
以上のように実施の形態４では、既設モデムにおいても送信インタフェース部１２の回線側に送信フィルタ回路内蔵プラグ１４を、受信インタフェース部１３の回線側に受信フィルタ回路内蔵プラグ１６をそれぞれ接続したので、ペア通信線３１、３２を共用するモデムの通信に及ぼすノイズの影響を低減させ、システム全体の通信信頼性を高くするデータ通信モデムを得ることができる。また、小型化かつ容易にカットオフ周波数等の特性が異なるフィルタ回路に交換できる構造であるために、抑制すべきノイズ周波数が変わっても、既設モデムＣ６ａに接続されるペア通信線３１、３２を取り外すことなく送信フィルタ回路内蔵プラグ１４および受信フィルタ回路内蔵プラグ１６を交換することができるとともに、通信停止時間を短縮することでシステムの信頼性を向上させ、工事費用の低減により経済的に優れたデータ通信モデムを得ることができる。
【００３９】
また、上記実施の形態４では、送信フィルタ回路内蔵プラグ１４と受信フィルタ回路内蔵プラグ１６の両方を設けた場合について説明したが、受信フィルタ回路内蔵プラグ１６は省略してもよい。また送信フィルタ回路内蔵プラグ１４は変換アダプタ部６３に、変換アダプタ部６３は切り分けコネクタ部６２に単に挿入する構造として説明したが、挿入した後に、送信フィルタ回路内蔵プラグ１４と変換アダプタ部６３と切り分けコネクタ部６２が互いから簡単に抜けることがないように脱落防止のロック機構等があってもよく、上記実施の形態と同様の効果を奏する。
なおフィルタ回路内蔵プラグのプラグ形状を切り分けコネクタの接続穴に合致した形状にすれば、変換アダプタは不要である。但し、切り分けコネクタの接続穴の形状には多くの種類があるので、フィルタ回路内蔵プラグのプラグ形状は決まった形状にして、多くの種類の変換アダプタを用意する方が実際的である。
【００４０】
実施の形態５．
次に、この発明の実施の形態５におけるデータ通信モデムを図に基づいて説明する。図７はこの発明の実施の形態５に使用されるフィルタ内蔵コネクタを示す構造図である。
上記した実施形態１〜４では、フィルタ回路内蔵プラグ１４または１６をモデムに対して挿脱することにより、共用モデムの通信使用周波数を阻害するノイズを送出することを抑える場合について述べた場合について説明したが、この実施の形態５はこのような実施形態１〜４のデータ通信モデムにおいて、モデムと通信ケーブル３との間に更にフィルタ回路内蔵コネクタを設けるようにしたものである。
【００４１】
図７において、モデムＡ１ａの通信線インタフェースコネクタ１８と通信ケーブル３との間に、フィルタ回路を内蔵したフィルタ回路内蔵コネクタ７０が挿脱可能に設けるようにしたのである。フィルタ回路内蔵コネクタ７０を接続する場合、モデムＡ１ａから通信ケーブル３を取り外さないといけないが、フィルタ回路の構成がモデム内部と外部の２段階となるため、モデムＡ１ａ内に回り込んだ異なる周波数のより広い範囲のノイズを通信線側に送出することなく抑制することができ、更に共用モデムの通信品質を高めるデータ通信モデムを得ることができる。
【図面の簡単な説明】
【００４２】
【図１】この発明の実施の形態１におけるデータ通信モデムの構成を示すブロック図と通信システム構成図である。
【図２】この発明の実施の形態１におけるデータ通信モデムに用いられるフィルタ回路部の分解構成図である。
【図３】この発明の実施の形態２におけるデータ通信モデムの構成を示すブロック図と通信システム構成図である。
【図４】この発明の実施の形態３におけるシャーシイン型データ通信モデムの構成を示す斜視図である。
【図５】この発明の実施の形態４におけるデータ通信モデムの構成を示すブロック図と通信システム構成図である。
【図６】この発明の実施の形態４におけるデータ通信モデムに用いられるフィルタ回路部の分解構成図である。
【図７】この発明の実施の形態５におけるデータ通信モデムに使用されるフィルタ内蔵コネクタを示す構造図である。
【符号の説明】
【００４３】
１ａ、１ｂ：モデムＡ                    ２ａ、２ｂ：モデムＢ
３：通信ケーブル                        ３１、３１：通信線
４：シャーシ                            ５ａ〜５ｎ：プラグインタイプモデム
６ａ、６ｂ：既設モデム                  １０：外部電源
１１：モデム回路部                      １２：送信インタフェース
１３：受信インタフェース                １４：送信フィルタ回路内蔵プラグ
１５：接続用ジャック                    １６：受信フィルタ回路内蔵プラグ
１７：接続用ジャック                    １８：通信線インタフェースコネクタ
１９：フィルタ回路内蔵プラグモジュール
６２：切り分けコネクタ部                ６３：変換アダプタ部
１４１ａ〜１４１ｄ：接続端子            １５１ａ〜１５１ｄ：接続穴
６２１ａ〜６２１ｄ：接続穴              ６３１ａ〜６３１ｄ：接続穴
６３２ａ〜６３２ｄ：アダプタ接続端子    ７０：フィルタ回路内蔵コネクタ。
【図１】
0005015837.tif 000002
【図２】
0005015837.tif 000003
【図３】
0005015837.tif 000004
【図４】
0005015837.tif 000005
【図５】
0005015837.tif 000006
【図６】
0005015837.tif 000007
【図７】
0005015837.tif 000008